(57)【要約】  無線送受信装置（ＷＴＲＵ）のための拡張型アップリンクソフトハンドオーバ（ＥＵ−ＳＨＯ）操作をサポートするための方法および装置。この装置は、少なくとも２つのＥＵ−ＳＨＯノードＢと、無線ネットワークコントローラ（ＲＮＣ）とを含むマルチセル無線通信システムであり得る。ＲＮＣは、拡張型アップリンク専用チャネル（ＥＵ−ＤＣＨ）機能を扱う媒体アクセス制御（ＭＡＣ）エンティティを含む。ＲＮＣは、ＷＴＲＵのＥＵ−ＳＨＯ操作が行われていないときには第１のアーキテクチャに従って構成され、ＷＴＲＵがＥＵ−ＳＨＯ操作で動作しているときには第２のアーキテクチャに従って構成される。第２のアーキテクチャによれば、ＲＮＣのＭＡＣエンティティは、ＷＴＲＵから生じるＥＵ送信がＲＮＣによってうまく受信されたかどうか示す信号を生成するＡＣＫ／ＮＡＣＫ生成器と、ＷＴＲＵのＥＵ送信をスケジューリングするためのアップリンクスケジューラとを含む。
2007516661.tif 000002
【特許請求の範囲】
【請求項１】
拡張型アップリンク専用チャネル（ＥＵ−ＤＣＨ）機能を扱う第１の媒体アクセス制御（ＭＡＣ）エンティティを含む無線ネットワークコントローラ（ＲＮＣ）を含むマルチセル無線通信システム内で、無線送受信装置（ＷＴＲＵ）、および前記ＲＣＮと通信する少なくとも２つのＥＵ−ＳＨＯノードＢに関連する拡張型アップリンクソフトハンドオーバ（ＥＵ−ＳＨＯ）操作をサポートするための方法であって、
（ａ）前記ＲＮＣがＥＵ−ＳＨＯ操作が開始しようとしていることを検出し、
（ｂ）ステップ（ａ）に応答して、前記ＲＮＣ内の前記第１のＭＡＣエンティティを、
（ｉ）前記ＷＴＲＵから生じるＥＵ送信が前記ＲＮＣによってうまく受信されたかどうか示す信号を生成する第１の生成器と、
（ｉｉ）前記ＷＴＲＵのＥＵ送信をスケジューリングするための第１のアップリンクスケジューラとを含むように構成することを特徴とする方法。
【請求項２】
それぞれのＥＵ−ＳＨＯノードＢは、ＥＵ−ＤＣＨ機能を扱う第２のＭＡＣエンティティを含み、前記第２のＭＡＣエンティティは、個々のシグナリングチャネルを介して前記ＲＮＣと通信するハイブリッド自動再送要求／自動再送要求（ＨＡＲＱ／ＡＲＱ）エンティティを含むことを特徴とする請求項１に記載の方法。
【請求項３】
（ｃ）前記ＷＴＲＵのソフトハンドオーバ操作が行われていない場合は、前記ＷＴＲＵと共に現在動作しているノードＢ内の第２のＭＡＣエンティティを、
（ｉ）前記ＷＴＲＵから生じるＥＵ送信が前記ノードＢによってうまく受信されたかどうか示す信号を前記ＷＴＲＵに送信する第２の生成器と、
（ｉｉ）前記ＷＴＲＵのＥＵ送信をスケジューリングするための第２のアップリンクスケジューラとを含むように構成することをさらに備えることを特徴とする請求項１に記載の方法。
【請求項４】
前記第１のアップリンクスケジューラは、ＥＵフレームプロトコルを介して各ＥＵ−ＳＨＯノードＢと通信することを特徴とする請求項１に記載の方法。
【請求項５】
無線送受信装置（ＷＴＲＵ）の拡張型アップリンクソフトハンドオーバ（ＥＵ−ＳＨＯ）操作をサポートするためのマルチセル無線通信システムであって、
（ａ）少なくとも２つの拡張型アップリンクソフトハンドオーバ（ＥＵ−ＳＨＯ）ノードＢと、
（ｂ）拡張型アップリンク専用チャネル（ＥＵ−ＤＣＨ）機能を扱う第１の媒体アクセス制御（ＭＡＣ）エンティティを含む無線ネットワークコントローラ（ＲＮＣ）とを備え、前記ＲＮＣは、前記ＷＴＲＵのＥＵ−ＳＨＯ操作が行われていないときには第１のアーキテクチャに従って構成され、前記ＲＮＣが前記ＷＴＲＵのＥＵ−ＳＨＯ操作が開始しようとしていることを検出するときには第２のアーキテクチャに従って構成されることを特徴とするマルチセル無線通信システム。
【請求項６】
前記第２のアーキテクチャに従って前記ＲＮＣの前記第１のＭＡＣエンティティは、
（ａ）前記ＷＴＲＵから生じるＥＵ送信が前記ＲＮＣによってうまく受信されたかどうか示す信号を生成する第１の生成器と、
（ｂ）前記ＷＴＲＵのＥＵ送信をスケジューリングするための第１のアップリンクスケジューラとを備えることを特徴とする請求項５に記載のシステム。
【請求項７】
それぞれのＥＵ−ＳＨＯノードＢは、ＥＵ−ＤＣＨ機能を扱う第２のＭＡＣエンティティを含み、前記ＭＡＣエンティティは、個々のシグナリングチャネルを介して前記ＲＮＣと通信するハイブリッド自動再送要求／自動再送要求（ＨＡＲＱ／ＡＲＱ）エンティティを含むことを特徴とする請求項５に記載のシステム。
【請求項８】
前記ＷＴＲＵのソフトハンドオーバ操作が行われていないときには、前記ＷＴＲＵと共に現在動作しているノードＢ内の第２のＭＡＣエンティティは、
（ｉ）前記ＷＴＲＵから生じるＥＵ送信が前記ノードＢによってうまく受信されたかどうか示す信号を前記ＷＴＲＵに送信する第２の生成器と、
（ｉｉ）前記ＷＴＲＵのＥＵ送信をスケジューリングするための第２のアップリンクスケジューラとを含むように構成されることを特徴とする請求項６に記載のシステム。
【請求項９】
前記第１のアップリンクスケジューラは、ＥＵフレームプロトコルを介して各ＥＵ−ＳＨＯノードＢと通信することを特徴とする請求項６に記載の方法。
【請求項１０】
無線ネットワークコントローラ（ＲＮＣ）と、無線送受信装置（ＷＴＲＵ）と、前記ＲＮＣと通信する少なくとも２つの拡張型アップリンクソフトハンドオーバ（ＥＵ−ＳＨＯ）ノードＢとを含むマルチセル無線通信システム内で、
（ａ）上位プロトコル層と、
（ｂ）前記上位プロトコル層と通信する媒体アクセス制御（ＭＡＣ）エンティティとを備えるＲＮＣであって、前記ＭＡＣエンティティが拡張型アップリンク専用チャネル（ＥＵ−ＤＣＨ）機能を扱い、前記ＷＴＲＵのＥＵ−ＳＨＯ操作が行われていないときには第１のアーキテクチャに従って構成され、前記ＲＮＣが前記ＷＴＲＵのＥＵ−ＳＨＯ操作が開始しようとしていることを検出するときには第２のアーキテクチャに従って構成されることを特徴とするＲＮＣ。
【請求項１１】
前記第２のアーキテクチャに従って前記ＭＡＣエンティティは、
（ａ）前記ＷＴＲＵから生じるＥＵ送信が前記ＲＮＣによってうまく受信されたかどうか示す信号を生成する生成器と、
（ｂ）前記ＷＴＲＵのＥＵ送信をスケジューリングするためのアップリンクスケジューラとを備えることを特徴とする請求項１０に記載のＲＮＣ。
【請求項１２】
前記アップリンクスケジューラは、ＥＵフレームプロトコルを介して各ＥＵ−ＳＨＯノードＢと通信することを特徴とする請求項１１に記載のシステム。
【請求項１３】
少なくとも１つの集積回路を含む無線ネットワークコントローラ（ＲＮＣ）と、無線送受信装置（ＷＴＲＵ）と、前記ＲＮＣと通信する少なくとも２つの拡張型アップリンクソフトハンドオーバ（ＥＵ−ＳＨＯ）ノードＢとを含むマルチセル無線通信システム内で、
（ａ）上位プロトコル層と、
（ｂ）前記上位プロトコル層と通信する媒体アクセス制御（ＭＡＣ）エンティティとを備えるＩＣであって、前記ＭＡＣエンティティが拡張型アップリンク専用チャネル（ＥＵ−ＤＣＨ）機能を扱い、前記ＷＴＲＵのＥＵ−ＳＨＯ操作が行われていないときには第１のアーキテクチャに従って構成され、前記ＲＮＣが前記ＷＴＲＵのＥＵ−ＳＨＯ操作が開始しようとしていることを検出するときには第２のアーキテクチャに従って構成されることを特徴とするＩＣ。
【請求項１４】
前記第２のアーキテクチャに従って前記ＭＡＣエンティティは、
（ａ）前記ＷＴＲＵから生じるＥＵ送信が前記ＲＮＣによってうまく受信されたかどうか示す信号を生成する生成器と、
（ｂ）前記ＷＴＲＵのＥＵ送信をスケジューリングするためのアップリンクスケジューラとを備えることを特徴とする請求項１３に記載のＩＣ。
【請求項１５】
前記アップリンクスケジューラは、ＥＵフレームプロトコルを介して各ＥＵ−ＳＨＯノードＢと通信することを特徴とする請求項１４に記載のＩＣ。
【請求項１６】
拡張型アップリンク専用チャネル（ＥＵ−ＤＣＨ）機能を扱う第１の媒体アクセス制御（ＭＡＣ）エンティティを含む無線ネットワークコントローラ（ＲＮＣ）を含むマルチセル無線通信システム内で、無線送受信装置（ＷＴＲＵ）に関連する拡張型アップリンクソフトハンドオーバ（ＥＵ−ＳＨＯ）操作をサポートするための方法であって、
（ａ）前記ＲＮＣがＥＵ−ＳＨＯ操作が開始しようとしていることを検出し、
（ｂ）前記ＥＵ−ＳＨＯ操作時に前記ＲＮＣ内の前記第１のＭＡＣエンティティは、前記ＷＴＲＵから生じるＥＵ送信が前記ＲＮＣによってうまく受信されたかどうか示す信号を生成し、前記ＷＴＲＵのＥＵ送信をスケジューリングすることを特徴とする方法。
【請求項１７】
前記マルチセル無線通信システムは、前記ＥＵ−ＳＨＯ操作が完了した後に前記ＲＮＣと通信する現在のノードＢをさらに含み、前記現在のノードＢは、ＥＵ−ＤＣＨ機能を扱う第２のＭＡＣエンティティを含み、前記方法は、さらに、
（ｃ）前記ＷＴＲＵのＥＵ−ＳＨＯ操作が行われていないときには前記現在のノードＢ内の前記第２のＭＡＣエンティティは、前記ＷＴＲＵから生じるＥＵ送信が前記現在のノードＢによってうまく受信されたかどうか示す信号を生成し、前記ＷＴＲＵのＥＵ送信をスケジューリングすることを特徴とする請求項１６に記載の方法。
【発明の詳細な説明】
【技術分野】
【０００１】
本発明は、無線通信システムに関する。より詳細には、本発明は、無線ネットワークコントローラ（ＲＮＣ：ｒａｄｉｏ  ｎｅｔｗｏｒｋ  ｃｏｎｔｒｏｌｌｅｒ）およびノードＢのアーキテクチャを再構成することによって拡張型アップリンクソフトハンドオーバ（ＥＵ−ＳＨＯ：ｅｎｈａｎｃｅｄ  ｕｎｌｉｎｋ  ｓｏｆｔ  ｈａｎｄｏｖｅｒ）操作をサポートするための方法および装置に関する。
【背景技術】
【０００２】
アップリンクのサービスエリア、スループットおよび送信待ち時間を向上させるための方法は、リリース６（Ｒ６：Ｒｅｌｅａｓｅ  ６）ユニバーサル移動体通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）の研究アイテム「ＦＤＤアップリンク拡張」との関連で、第三世代パートナーシッププロジェクト（３ＧＰＰ：ｔｈｉｒｄ  ｇｅｎｅｒａｔｉｏｎ  ｐａｒｔｎｅｒｓｈｉｐ  ｐｒｏｊｅｃｔ）において現在調査されている。
【０００３】
これらの目標を達成するためにノードＢ（基地局）は、アップリンクリソース（物理チャネル）のスケジューリングおよびユーザへの割当ての責任を引き継ぐことが広く予想されている。この原理は、ノードＢが、ＲＮＣが全体的な粗い制御を保持するとしても、ＲＮＣより効率的な決定を行うことができ、また短期的にアップリンク無線リソースをよりよく管理し得るというものである。類似の手法は、ＵＭＴＳ周波数分割複信（ＦＤＤ：ｆｒｅｑｕｅｎｃｙ  ｄｉｖｉｓｉｏｎ  ｄｕｐｌｅｘ）と時間分割複信（ＴＤＤ：ｔｉｍｅ  ｄｉｖｉｓｉｏｎ  ｄｕｐｌｅｘ）の両方のモードのリリース５（Ｒ５：Ｒｅｌｅａｓｅ  ５）高速ダウンリンクパケットアクセス（ＨＳＤＰＡ：ｈｉｇｈ  ｓｐｅｅｄ  ｄｏｗｎｌｉｎｋ  ｐａｃｋｅｔ  ａｃｃｅｓｓ）用のダウンリンクにおいて既に採用されてきた。
【０００４】
ある共通の時間間隔内に無線送受信装置（ＷＴＲＵ：ｗｉｒｅｌｅｓｓ  ｔｒａｎｓｍｉｔ／ｒｅｃｅｉｖｅ  ｕｎｉｔ）とユニバーサル地上無線アクセスネットワーク（ＵＴＲＡＮ：ｕｎｉｖｅｒｓａｌ  ｔｅｒｒｅｓｔｒｉａｌ  ａｃｃｅｓｓ  ｎｅｔｗｏｒｋ）の間で処理される独立した複数のアップリンク送信があり得ることも考えられている。この１つの例は、媒体アクセス制御（ＭＡＣ：ｍｅｄｉｕｍ  ａｃｃｅｓｓ  ｃｏｎｔｒｏｌ）層ハイブリッド自動再送要求（ＨＡＲＱ：ｈｙｂｒｉｄ  ａｕｔｏｍａｔｉｃ  ｒｅｐｅａｔ  ｒｅｑｕｅｓｔ）、または単純にＭＡＣ層自動再送要求（ＡＲＱ：ａｕｔｏｍａｔｉｃ  ｒｅｐｅａｔ  ｒｅｑｕｅｓｔ）操作であり、この操作では、個々の各送信は、異なる数の再送がＵＴＲＡＮによってうまく受信されることを必要とし得る。システムアーキテクチャに対する影響を制限するために、ＭＡＣより上のプロトコル層は、拡張型アップリンク専用チャネル（ＥＵ−ＤＣＨ：ｅｎｈａｎｃｅｄ  ｕｐｌｉｎｋ  ｄｅｄｉｃａｔｅｄ  ｃｈａｎｎｅｌ）を取り入れることによって影響を受けるべきでないと見込まれる。これによって生じるある要件は、無線リンク制御（ＲＬＣ：ｒａｄｉｏ  ｌｉｎｋ  ｃｏｎｔｒｏｌ）プロトコル層への、シーケンスに従うデータ送達（ｉｎ−ｓｅｑｕｅｎｃｅ  ｄａｔａ  ｄｅｌｉｖｅｒｙ）である。したがって、ダウンリンクのＨＳＤＰＡ操作と類似して、受信されたデータブロックをＷＴＲＵ  ＲＬＣエンティティによって生成されたシーケンスに従って編成するために、ＵＴＲＡＮ再順序付け機能が求められる。
【発明の開示】
【発明が解決しようとする課題】
【０００５】
ソフトハンドオーバのマクロダイバシチ操作は、アクティブセット内の各セルでのアップリンク送信の集中制御を必要とする。アクティブセットは、複数のノードＢを含み得る。再送は、送信の成功がノードＢのうちの少なくとも１つによって実現されるまで引き起こされない。送信の成功は、ノードＢのすべてにおいて保証されているとは限らない。したがって、完全な１組の成功した送信がいずれか１つのノードＢ内で得られないことがあるので、成功した送信の再順序付けは達成され得ない。
【課題を解決するための手段】
【０００６】
本発明は、ＷＴＲＵのＥＵ−ＳＨＯ操作をサポートするための方法および装置に関する。この装置は、マルチセル無線通信システム、ＲＮＣ、またはＲＮＣ内に置かれた集積回路であり得る。マルチセル無線通信システムは、少なくとも２つのＥＵ−ＳＨＯノードＢと、ＲＮＣとを含む。ＲＮＣは、ＥＵ−ＤＣＨ機能を扱う第１のＭＡＣエンティティを含む。ＲＮＣは、ＷＴＲＵのＥＵ−ＳＨＯ操作が行われないときには第１のアーキテクチャに従って構成され、ＷＴＲＵがＥＵ−ＳＨＯ操作で動作しているときには第２のアーキテクチャに従って構成される。第２のアーキテクチャによれば、ＲＮＣの第１のＭＡＣエンティティは、ＷＴＲＵから生じるＥＵ送信がＲＮＣによってうまく受信されたかどうか示す信号を生成する第１のＡＣＫ／ＮＡＣＫ生成器と、ＷＴＲＵのＥＵ送信をスケジューリングするための第１のアップリンクスケジューラとを含む。
【０００７】
それぞれのＥＵ−ＳＨＯノードＢは、ＥＵ−ＤＣＨ機能を扱う第２のＭＡＣエンティティを含み得る。第２のＭＡＣエンティティは、それぞれのシグナリングチャネルを介してＲＮＣと通信するＨＡＲＱ／ＡＲＱエンティティを含む。
【０００８】
ＷＴＲＵのＥＵ−ＳＨＯ操作が行われていないときには、ＷＴＲＵと共に現在動作しているノードＢ内の第２のＭＡＣエンティティは、ＷＴＲＵから生じるＥＵ送信がノードＢによってうまく受信されたかどうか示す信号をＷＴＲＵに送信する第２のＡＣＫ／ＮＡＣＫ生成器と、ＷＴＲＵのＥＵ送信をスケジューリングするための第２のアップリンクスケジューラとを含むように構成され得る。第１のアップリンクスケジューラは、ＥＵフレームプロトコルを介して各ＥＵ−ＳＨＯノードＢと通信し得る。
【０００９】
ＷＴＲＵがソフトハンドオーバで動作しているときには、ＥＵ−ＳＨＯノードＢ内の第２のＭＡＣエンティティは、ＨＡＲＱ／ＡＲＱエンティティだけを含む。
【００１０】
本発明についてのより詳細な理解は、例示するために提供され、また添付の図面と併せて理解される好ましい実施形態についての以下の詳細な説明から得られ得る。
【発明を実施するための最良の形態】
【００１１】
本発明について、図面を参照して述べる。図面では、同じ番号は、全体を通して同様の要素を表す。
【００１２】
以下で、用語「ＷＴＲＵ」は、それだけに限らないが、ユーザ装置（ＵＥ：ｕｓｅｒ  ｅｑｕｉｐｍｅｎｔ）、移動局、固定または移動加入者装置、ページャ、あるいは無線環境内で動作することができる他の任意のタイプの装置を含む。以下で言及されるときに用語「基地局」は、それだけに限らないが、ノードＢ、サイトコントローラ、アクセスポイント、または無線環境内の他の任意のタイプのインターフェース装置を含む。
【００１３】
本発明は、一般にＵＭＴＳ、ＣＤＭＡ２０００およびＣＤＭＡに適用されるＴＤＤ、ＦＤＤおよび時間分割同期符号分割多重アクセス（ＴＤ−ＳＣＤＭＡ：time division synchronous code division multiple access）にさらに適用可能であり得るが、他の無線システムにも同様に適用可能であると考えられている。ＣＤＭＡ２０００に関して本発明は、ＥＶ−ＤＯ（すなわちデータのみ）およびＥＶ−ＤＶ（すなわちデータおよび音声）で実施され得る。
【００１４】
本発明の特徴は、ＩＣ内に組み込まれ、または多数の相互接続するコンポーネントを備える回路に組み込まれ、または回路内で構成され得る。
【００１５】
ある実施形態では、本発明は、再順序付け機能、アップリンクスケジューリング機能、ＡＣＫ／ＮＡＣＫ生成機能およびＨＡＱＫ／ＡＲＱエンティティを組み込む拡張型アップリンクのための分散型ＵＴＲＡＮ  ＭＡＣアーキテクチャ解決策を提供する。適切なＵＴＲＡＮ  ＭＡＣアーキテクチャでは、ソフトおよびハードハンドオーバが効率的にサポートされ、ＭＡＣデータの損失およびＲＬＣ回復が低減される。本発明は、これらの要件に対処するために、好ましいＭＡＣアーキテクチャについての詳細を提供する。
【００１６】
さらに、本発明は、拡張型アップリンクのための分散型ＵＴＲＡＮ  ＭＡＣアーキテクチャ解決策を提案する。本発明は、ＷＴＲＵ操作シナリオに関係なく、ノードＢ内にＨＡＲＱ／ＡＲＱエンティティを実装し、またＲＮＣ内に再順序付け機能を実装することをも提案する。
【００１７】
上記内容に加えて、本発明は、ノードＢおよびＲＮＣ内にアップリンクスケジューリング機能を実装することを提案する。しかし、ＷＴＲＵでは、いずれのときでも、そのために構成されたアップリンクスケジューリング機能は１つしかない。アップリンクスケジューリング機能がノードＢ内で構成されるか、それともＲＮＣ内で構成されるかは、ＷＴＲＵ操作シナリオ（ソフトハンドオーバかどうか）によって決まる。
【００１８】
本発明は、ノードＢおよびＲＮＣにＡＣＫ／ＮＡＣＫ生成機能を実装することをも提案することに留意されたい。しかし、ＷＴＲＵでは、いずれのときでも、そのために構成されたＡＣＫ／ＮＡＣＫ生成機能は１つしかない。ＡＣＫ／ＮＡＣＫ生成機能がノードＢ内で構成されるか、それともＲＮＣ内で構成されるかは、ＷＴＲＵ操作シナリオ（ソフトハンドオーバかどうか）によって決まる。
【００１９】
ＥＵ−ＳＨＯ操作時に上位層は、ＥＵ−ＤＣＨがソフトハンドオーバのマクロダイバシチ状態で維持されるＥＵセルのアクティブなサブセットを維持する。アクティブサブセット内のそれらのセルは、それぞれ異なるＥＵ−ＳＨＯノードＢによって制御される。
【００２０】
本発明によれば、マルチセル無線通信システムのアーキテクチャは、ＥＵ−ＳＨＯ操作が行われているかどうかに応じて、第１の構成と第２の構成の間で遷移する。
【００２１】
図１は、（ソフトハンドオーバではなく）通常の操作時のＲＮＣ１０５とノードＢ１１０とを含む無線通信システムの第１のシステム構成１００を示している。ノードＢは、ＷＴＲＵ１１５と通信する。ＲＮＣ１０５は、第１のＭＡＣエンティティ１２０を含むように構成される。ＲＮＣ１０５内の第１のＭＡＣエンティティ１２０は、ＥＵ−ＤＣＨ機能を扱い、１つまたは複数の再順序付け機能エンティティ１２５を含む。それぞれの再順序付け機能エンティティ１２５は、ＲＮＣ１０５内の上位プロトコル層１３０と通信し、関連するデータバッファ（図示せず）を含む。ノードＢ  １１０は、ＥＵ−ＤＣＨ機能を扱う第２のＭＡＣエンティティ１３５と、ＡＣＫ／ＮＡＣＫ生成器１４５を含むＨＡＲＱ／ＡＲＱエンティティ１４０と、アップリンクスケジューラ１５０とを含むように構成される。
【００２２】
ＨＡＲＱ／ＡＲＱエンティティ１４０は、あるユーザのためのＨＡＲＱ／ＡＲＱ機能を扱うように、ノードＢ１１０内で構成される。再順序付け機能エンティティ１２５は、上位プロトコル１３０層へのシーケンス送達をサポートするために、正確に受信されたデータブロック、すなわちパケットデータ単位（ＥＤＵ：ｐａｃｋｅｔ  ｄａｔａ  ｕｎｉｔ）のための再順序付けを実施するようにＲＮＣ１０５で構成される。アップリンクスケジューラ１５０は、ＷＴＲＵ１１５のＥＵ送信をスケジューリングするようにノードＢ１１０内で構成される。ＡＣＫ／ＮＡＣＫ生成器１４５は、ＥＵ送信の成功または失敗についてＷＴＲＵ１１５に知らせるようにノードＢ１１０内で構成される。図１に示すように、ＡＣＫ／ＮＡＣＫ生成器１４５は、通常の操作シナリオでは、ノードＢ  １１０内のＨＡＲＱ／ＡＲＱエンティティ１４０内に組み込まれる。
【００２３】
再順序付け機能エンティティ１２５は、ノードＢ内のＥＵサービスセル変更、すなわちハードハンドオーバによって影響を受けない。換言すると、ＲＮＣの再順序付けバッファ（図示せず）は、ノードＢ内のＥＵサービスセル変更時にフラッシュされる必要なない。再順序付けバッファがフラッシュされないので、シーケンスが乱れたＲＬＣへの送達、および（ＷＴＲＵ側の）ＲＬＣ回復が、ノードＢ内のＥＵサービスセル変更によってもたらされない。ＡＣＫ／ＮＡＣＫおよびアップリンクスケジューリング情報は、高速レイヤ１シグナリングを介してＷＴＲＵ１１５に送信される。したがって、遅延は非常に小さい。
【００２４】
図２は、図１に示された無線通信システムの第２のシステム構成２００を示している。遷移は、ＲＮＣ１０５がＷＴＲＵ１１５が通常操作からＥＵ−ＳＨＯ操作に遷移することを検出するときに、第１のシステム構成１００から第２のシステム構成２００へと行われる。第２のシステム構成２００は、ＲＮＣ２０５と、ＥＵ−ＳＨＯ時に動作する少なくとも２つの（２）ＥＵ−ＳＨＯノードＢ２１０（２１０Ａ．．．２１０Ｎ）とを含む。ＲＮＣ２０５は、ＲＮＣ２０５に置かれた第１のＭＡＣエンティティ２１５を含むように構成される。第１のＭＡＣエンティティ２１５は、ＥＵ−ＤＣＨ機能を扱い、１つまたは複数の再順序付け機能エンティティ２２０と、ＡＣＫ／ＮＡＣＫ生成器２２５と、アップリンクスケジューラ２３０とを含む。それぞれの再順序付け機能エンティティ２２０は、ＲＮＣ２０５内の上位プロトコル層２３５と通信し、また関連するデータバッファ（図示せず）を含む。それぞれのノードＢ  ２１０は、ＥＵ−ＤＣＨ機能を扱う第２のＭＡＣエンティティ２４０（２４０Ａ．．．２４０Ｎ）と、ＨＡＲＱ／ＡＲＱエンティティ２４５（２４５Ａ．．．２４５Ｎ）とを含むように構成される。それぞれのＨＡＲＱ／ＡＲＱエンティティ２４５は、あるユーザのためのＨＡＲＱ／ＡＲＱ機能を扱う。ＲＮＣ２０５内のＭＡＣエンティティ２１５内のアップリンクスケジューラ２３０は、ＥＵフレームプロトコル２５０Ａ．．．２５０Ｎを介して各ノードＢ  ２１０と通信する。ＨＡＲＱ／ＡＲＱエンティティ２４０Ａ．．．２４０Ｎは、それぞれシグナリングチャネル２５５Ａ．．．２５５Ｎを介してＲＮＣ１０５と通信する。
【００２５】
図２をやはり参照すると、ＥＵ−ＳＨＯ時に、いずれかのＥＵ−ＳＨＯノードＢ２１０で受信されたデータブロックがうまく復号され、すなわちデータブロックが巡回冗長検査（ＣＲＣ：ｃｙｃｌｉｃ  ｒｅｄｕｎｄａｎｃｙ  ｃｈｅｃｋ）を通過する場合に、それはＥＵフレームプロトコル２５５Ａ．．．２５５Ｎを介してＲＮＣ２０５に転送されている。ＲＮＣ２０５内の再順序付け機能エンティティ２２０は、上位プロトコル層２３５へのシーケンス送達をサポートするために、正確に受信されたデータブロックのための再順序付け機能を実施する。ＲＮＣ２０５内のアップリンクスケジューラ２３０は、ＥＵ−ＳＨＯノードＢ２１０のうちのそれぞれ異なるノードＢによって制御されるセル内のＷＴＲＵのＥＵ送信スケジューリングを行う役割を担う。ＲＮＣ２０５内のＡＣＫ／ＮＡＣＫ生成器２２５は、ＲＮＣ２０５が、ＥＵ−ＳＨＯノードＢ２１０からの良好なＣＲＣ検査結果を伴う首尾よく復号されたデータブロックの少なくとも１つのコピーを受信するときに、ＷＴＲＵへの送信の肯定応答（ＡＣＫ）を生成する。そうでない場合、データブロックは正確に受信されなかったと判断され、ＲＮＣ２０５内のＡＣＫ／ＮＡＣＫ生成器２２５は、ＷＴＲＵへの送信の否定応答（ＮＡＣＫ）を生成する。
【００２６】
ＥＵ−ＳＨＯノードＢ２１０のうちのそれぞれ異なるノードＢから受信されたデータブロックは、上位プロトコル層２３５への送達のために順序正しく組み合わされ、編成され得る。ＲＮＣ２０５内に置かれた再順序付けエンティティ２２０は、どのノードＢが各ＰＤＵの受信を提供したかに関係なく、ＥＵ  ＭＡＣ  ＰＤＵが首尾よい受信および上位プロトコル層２３５への適切な送達のため処理されることを可能にする。したがって、ＭＡＣデータの損失およびＲＬＣ回復が低減される。
【００２７】
ＥＵ−ＳＨＯ操作時にＲＮＣ２０５内のアップリンクスケジューラ２３０を使用することによって、あるＥＵ−ＳＨＯノードＢ  ２１０によってスケジューリングされたＥＵ送信は、リソース、および他のＥＵ−ＳＨＯノードＢ  ２１０によって制御されるセルへの干渉の点で許容可能である。
【００２８】
図３は、図１および２にそれぞれ示されたシステム構成１００および２００を実施するための方法ステップを含むプロセス３００のフローチャートである。通常の操作時に、ＲＮＣ１０５は、ＥＵソフトハンドオーバ操作がまさに開始しようしていることのいずれかの表示を連続的に監視する（ステップ３０５）。図１のシステム構成１００に示すように、通常の操作時に、すなわちＥＵ−ＳＨＯ操作が行われる前後に、ＷＴＲＵ１１５の現在のノードＢ１１０は、ＡＣＫ／ＮＡＣＫ生成器１４５とアップリンクスケジューラ１５０とを含むように構成される（ステップ３１０）。ＲＮＣ１０５が、ステップ３０５でＥＵ−ＳＨＯ操作がまさに開始しようとしていることを検出する場合、図１のＲＮＣ１０５のＭＡＣエンティティ１２０のアーキテクチャは、図２のＲＮＣ２０５内のＭＡＣエンティティ２１５のアーキテクチャに従って再構成され、それによってＭＡＣエンティティ２１５は、ＡＣＫ／ＮＡＣＫ生成器２２５とアップリンクスケジューラ２３０とを含む（ステップ３１５）。ソフトハンドオーバ操作が完了した後に、ステップ３２０で判断されるように、ＲＮＣ１０５のＭＡＣエンティティ２１５内のＡＣＫ／ＮＡＣＫ生成器２２５およびアップリンクスケジューラ２３０は構成解除され（ステップ３２５）、ＥＵ−ＳＨＯ操作時のＷＴＲＵ１１５に関連する新しいノードＢ  １１０が、図１に示すように、ＡＣＫ／ＮＡＣＫ生成器１４５とアップリンクスケジューラ１５０とを含むように構成される（ステップ３１０）。
【００２９】
本発明について、好ましい実施形態を参照して具体的に示し述べたが、上記で述べた本発明の範囲から逸脱せずに形態および詳細の様々な変更が行われ得ることが当業者には理解されよう。
【図面の簡単な説明】
【００３０】
【図１】本発明による、（ソフトハンドオーバではなく）通常の操作時の第１のシステム構成を示す図である。
【図２】本発明による、ＷＴＲＵがＥＵ−ＳＨＯ操作で動作しているときの第２のシステム構成を示す図である。
【図３】図１および２のシステム構成を実施するための方法ステップを含むプロセスのフローチャートである。
【図１】
2007516661.tif 000003
【図２】
2007516661.tif 000004
【図３】
2007516661.tif 000005
【国際調査報告】
2007516661.tif 000006